(57)【要約】【課題】筐体にスイッチ部が設けられた薄型の平面表示装置を提供する。【解決手段】筐体２の一側縁側に、第１の空間部２１１と、この第１の空間部２１１よりも大きな厚さＬ２を有した第２の空間部２２１とを隣接して形成している。第１の空間部２１１内に設けたスイッチ機構３１と、第２の空間部２２１内に設けたスイッチ基板３２とでスイッチ部３を構成している。ピン型ボタン３１３は、一端側が筐体２外部へ突出し、当該一端側に対する外部からの作用により変位して、他端側がスイッチ基板３２に当接する。このため、第１の空間部２１１の厚さ寸法Ｌ１を、スイッチ基板３２における表示面と直交する方向の長さ寸法Ｌ３よりも小さく形成することができ、平面表示装置を全体的に薄型化できる。【選択図】図６
2007042478.tif 000002
【特許請求の範囲】
【請求項１】
平面状の表示面を有した表示部、この表示部の背面側を覆う筐体、および、この筐体に設けられたスイッチ部を備えた平面表示装置であって、
前記筐体の内部には、
前記筐体の一側縁側における第１の空間部と、
この第１の空間部よりも前記筐体の中央部側に隣接し、前記表示面と直交する方向の厚さが前記第１の空間部における前記表示面と直交する方向の厚さよりも大きな第２の空間部と、が形成されており、
前記スイッチ部は、
一端側が前記筐体外部へ突出し、他端側が前記第１の空間部内に配置され、前記一端側に対する外部からの作用により変位する長尺状の当接手段を備えたスイッチ機構と、
前記第２の空間部内に配置され、前記当接手段が変位してその他端側が当接することにより、前記平面表示装置の動作を切り換えるための操作信号を生成するスイッチ基板と、を具備している
ことを特徴とする平面表示装置。
【請求項２】
請求項１に記載の平面表示装置において、
前記スイッチ機構は、前記第１の空間部内において前記当接手段を支持するヒンジ部を備え、
前記当接手段は、略棒状に形成されて、前記外部からの作用により前記ヒンジ部を支点に傾きを持った状態で変位して、前記当接手段の他端部が前記スイッチ基板に当接し、
前記スイッチ基板は、前記当接手段の前記他端部との当接面が前記当接手段の前記傾き方向と略垂直になるように配設されている
ことを特徴とする平面表示装置。
【請求項３】
請求項１または請求項２に記載の平面表示装置において、
前記スイッチ機構は、前記当接手段および前記ヒンジ部を保持すると共に前記筐体に対して取り付けられる構造体を備え、
この構造体と、前記当接手段と、前記ヒンジ部とは、樹脂材にて一体形成されている
ことを特徴とする平面表示装置。
【請求項４】
請求項１ないし請求項３のいずれかに記載の平面表示装置において、
前記第１の空間における前記表示面と直交する方向の厚さは、前記スイッチ基板の前記表示面と直交する方向の長さよりも小さく設定されている
ことを特徴とする平面表示装置。
【請求項５】
請求項１に記載の平面表示装置において、
前記スイッチ機構は、前記当接手段を前記筐体外部へ向けて付勢する付勢手段を備えており、
前記当接手段は、前記付勢手段にて前記付勢されると共に、前記長尺方向に沿ってスライド可能に設けられている
ことを特徴とする平面表示装置。
【発明の詳細な説明】
【技術分野】
【０００１】
本発明は、筐体にスイッチ部が設けられた平面表示装置に関する。
【背景技術】
【０００２】
従来、平面表示装置として、例えばプラズマディスプレイパネルや液晶表示パネル、有機ＥＬ（Electro Luminescence）パネル、ＦＥＤ（Field Emission Display）、電気泳動ディスプレイパネルなどの平面状の表示面を有した表示部を備えたものがある。このような平面表示装置として、例えば図１および図２に示すような、表示部の背面側を覆う筐体の一側面部にスイッチ部を設けた平面表示装置が知られている。ここで、図１は、従来の平面表示装置の外観を示した斜視図である。図２は、当該平面表示装置の要部断面を拡大して示した斜視図である。
【０００３】
図１において、平面表示装置１００は、平面視において略長方形状の筐体１１０と、この筐体１１０に設けられたスイッチ部１２０と、筐体１１０内部に設けられた回路装置１３０（図２参照）と、を備えている。
筐体１１０の前面側には、平面略長方形状の表示面を有した図示しない表示部が設けられている。この表示部は、回路装置１３０と各種信号が送受信可能に接続され、回路装置１３０で処理された映像データなどを受信して表示出力する。
【０００４】
筐体１１０の内部には、図２に示すように、筐体１１０の長手方向における一端側に第１の空間部１１１と、図中仮想線Ａを境として、この第１の空間部１１１よりも筐体１１０の中央部側に隣接する第２の空間部１１２とが形成されている。そして、第１の空間部１１１における前記表示面と直交する方向の厚さＤ１は、第２の空間部１１２における前記表示面と直交する方向の厚さＤ２よりも小さく形成されている。
【０００５】
スイッチ部１２０は、平面表示装置１００における主電源のＯＮ/ＯＦＦ動作や表示モードの切り換えなどの各種動作を利用者にて切換可能とするものである。このスイッチ部１２０は、略円柱状の押しボタン部１２１と、この押しボタン部１２１に隣接して設けられたスイッチ基板１２２とを備えている。
押しボタン部１２１は、一端部が筐体１１０の外側に突出しており、他端部が第１の空間部１１１の内部に配置されている。そして、押しボタン部１２１は、利用者に押されることにより変位して、他端部がスイッチ基板１２２に当接するようになっている。
スイッチ基板１２２は、例えば矩形板状に形成され、基板上には押しボタン部１２１の接触を検知する接触センサや各種回路が設けられている。このスイッチ基板１２２は、押しボタン部１２１の他端部と当接可能とするために、第１の空間部１１１の内部において、前記表示面に対して垂直に設けられている。そして、スイッチ基板１２２は、回路装置１３０と各種信号が送受信可能に接続されており、押しボタン部１２１の他端部が当接することにより、回路装置１３０へ向けて各種操作信号を送信する。
【０００６】
回路装置１３０は、平面表示装置１００全体の動作を制御する装置であり、例えば、図示しないテレビチューナ部などを備えている。この回路装置１３０は、筐体１１０の内部において、表示部の背面側中央部から第２の空間部１１２を含めた筐体１１０の端部側までに亘り設けられている。そして、回路装置１３０は、テレビチューナ部などから受信した映像データを表示部に出力させ、また、スイッチ基板１２２から各種操作信号を受信すると平面表示装置１００の各種動作を切り換える。
【発明の開示】
【発明が解決しようとする課題】
【０００７】
しかしながら、上述したような従来の構成では、スイッチ基板１２２は、その基板上に各種回路などを設けるためにも大きな基板面積を要し、かつ、筐体１１０の第１の空間部１１１において前記表示面に対して垂直に設けられている。このため、スイッチ基板１２２は、前記表示面と直交する方向に、大きな高さを有することになる。そして、スイッチ基板１２２を第１の空間部１１１に設けるためにも、スイッチ基板１２２の当該高さに合わせて、第１の空間部１１１の厚さＤ１を大きくしなければならなかった。さらに、第１の空間部１１１の厚さＤ１に合わせる形で、平面表示装置１００の４辺側の全てを肉厚に形成しなければならなかった。したがって、平面表示装置１００を薄型化することができず、良好な意匠性を得ることができなかった、という問題が一例として挙げられる。
【０００８】
本発明は、上述したような問題点に鑑みて、筐体にスイッチ部が設けられた薄型の平面表示装置を提供することを１つの目的とする。
【課題を解決するための手段】
【０００９】
請求項１に記載の発明は、平面状の表示面を有した表示部、この表示部の背面側を覆う筐体、および、この筐体に設けられたスイッチ部を備えた平面表示装置であって、前記筐体の内部には、前記筐体の一側縁側における第１の空間部と、この第１の空間部よりも前記筐体の中央部側に隣接し、前記表示面と直交する方向の厚さが前記第１の空間部における前記表示面と直交する方向の厚さよりも大きな第２の空間部と、が形成されており、前記スイッチ部は、一端側が前記筐体外部へ突出し、他端側が前記第１の空間部内に配置され、前記一端側に対する外部からの作用により変位する長尺状の当接手段を備えたスイッチ機構と、前記第２の空間部内に配置され、前記当接手段が変位してその他端側が当接することにより、前記平面表示装置の動作を切り換えるための操作信号を生成するスイッチ基板と、を具備していることを特徴とする平面表示装置である。
【００１０】
請求項２に記載の発明は、請求項１に記載の平面表示装置において、前記スイッチ機構は、前記第１の空間部内において前記当接手段を支持するヒンジ部を備え、前記当接手段は、略棒状に形成されて、前記外部からの作用により前記ヒンジ部を支点に傾きを持った状態で変位して、前記当接手段の他端部が前記スイッチ基板に当接し、前記スイッチ基板は、前記当接手段の前記他端部との当接面が前記当接手段の前記傾き方向と略垂直になるように配設されていることを特徴とする平面表示装置である。
【００１１】
請求項３に記載の発明は、請求項１または請求項２に記載の平面表示装置において、前記スイッチ機構は、前記当接手段および前記ヒンジ部を保持すると共に前記筐体に対して取り付けられる構造体を備え、この構造体と、前記当接手段と、前記ヒンジ部とは、樹脂材にて一体形成されていることを特徴とする平面表示装置である。
【００１２】
請求項４に記載の発明は、請求項１ないし請求項３のいずれかに記載の平面表示装置において、前記第１の空間における前記表示面と直交する方向の厚さは、前記スイッチ基板の前記表示面と直交する方向の長さよりも小さく設定されていることを特徴とする平面表示装置である。
【００１３】
請求項５に記載の発明は、請求項１に記載の平面表示装置において、前記スイッチ機構は、前記当接手段を前記筐体外部へ向けて付勢する付勢手段を備えており、前記当接手段は、前記付勢手段にて前記付勢されると共に、前記長尺方向に沿ってスライド可能に設けられていることを特徴とする平面表示装置である。
【発明を実施するための最良の形態】
【００１４】
以下に、本発明の一実施形態について、図面に基づいて説明する。図３は、本発明の一実施形態に係る平面表示装置の外観を示した斜視図である。図４は、平面表示装置の要部を拡大して示した斜視図である。図５は、筐体の一部を取り除いた状態の平面表示装置の要部を拡大して示した斜視図である。図６は、図４に示したＶＩ−ＶＩ線に沿う平面表示装置の断面を示した矢視図である。図７は、スイッチ機構の外観を示した斜視図である。
【００１５】
（平面表示装置の構成）
図３において、平面表示装置１は、例えば合成樹脂板や金属板などにて平面視において略長方形状に形成された筐体２と、この筐体２に設けられたスイッチ部３と、筐体２の内部に設けられた回路装置４（図６参照）と、を備えている。
そして、筐体２の前面側には図示しない表示部が設けられている。この表示部は、例えば、プラズマディスプレイパネルや液晶表示パネル、有機ＥＬパネル、ＦＥＤ、電気泳動ディスプレイパネルなどであり、平面略長方形状の表示面を有している。そして、表示部は、回路装置４と各種信号が送受信可能に接続され、回路装置４で処理された映像データを受信して表示出力する。
【００１６】
具体的には、筐体２は、図３に示すように、表示部の外周縁部を囲む外周枠部２１と、この外周枠部２１の内側かつ表示部の背面を覆う状態に設けられた略長方形状のパネル収納部２２と、このパネル収納部２２の中央部に長尺の台状に突出形成された回路収納部２３と、この回路収納部２３の長尺方向一側面部に設けられ各種端子が配設された端板部２４と、を備えて構成されている。
【００１７】
そして、図４に示すように、筐体２における外周枠部２１の長手方向一端側には、スイッチ部３が設けられている。
より具体的には、図５に示すように、外周枠部２１の長手方向一端側の内部、すなわち図中仮想線Ｂより左側の空間には、第１の空間部２１１が形成され、この第１の空間部２１１にはスイッチ部３の後述するスイッチ機構３１が設けられている。そして、外周枠部２１の長手方向一端面部には、複数の円孔２１２が設けられており、これら円孔２１２を介してスイッチ部３の後述するピン型ボタン３１３の一端部が筐体２の外部に突出している。
一方、パネル収納部２２の内部すなわち図中仮想線Ｂより右側の空間には、表示部および回路装置４の一部が収納される第２の空間部２２１が形成されている。この第２の空間部２２１には、スイッチ部３の後述するスイッチ基板３２が設けられている（図６参照）。
【００１８】
また、図６に示すように、第１の空間部２１１は、前記表示面と直交する方向の厚さがＬ１に設定されている。そして、第２の空間部２２１は、その前記表示面と直交する方向の厚さが、図中仮想線Ｂを介して図中右側へ向けてＬ１から徐々に拡大してＬ２となる状態に形成されている。このため、外周枠部２１とパネル収納部２２との間には、テーパ面２５が形成されている。
【００１９】
スイッチ部３は、前述のように筐体２における外周枠部２１の長手方向一端側に設けられ、平面表示装置１における主電源のＯＮ/ＯＦＦ動作や表示モードの切り換えなどの各種動作を利用者にて操作可能とするものである。このスイッチ部３は、図６に示すように、第１の空間部２１１に設けられたスイッチ機構３１と、第２の空間部２２１に設けられた複数のスイッチ基板３２とを備えて構成されている。
【００２０】
具体的に、スイッチ機構３１は、図７に示すように、例えば樹脂材の射出成形により、平面視略長方形状の構造体３１１と、この構造体３１１の内部にて長手方向に沿って並列して設けられた複数のＵ字部３１２と、これらＵ字部３１２の内部にそれぞれに配置されたピン型ボタン３１３と、各Ｕ字部３１２にてピン型ボタン３１３を支持するヒンジ部３１４と、が一体形成されることにより構成されている。
【００２１】
構造体３１１における外周枠部２１の長手方向一端面部と対向する面部には、複数の係合孔３１５が設けられている。これら係合孔３１５には、外周枠部２１の長手方向一端面部に設けられた図示しない係合爪が係合する。また、構造体３１１における係合孔３１５の背面側には、筐体２内部に設けられた図示しないフレームに固定される複数の爪部３１６が設けられている。これにより、構造体３１１は係合孔３１５および爪部３１６を介して筐体２に固定される。
【００２２】
ピン型ボタン３１３は、本発明における当接手段に相当するもので、軸方向が筐体２の長手方向に略平行する長尺円棒状に形成されており、その軸方向長さは少なくとも外周枠部２１の長手方向一端面部からスイッチ基板３２の基板面までの長さ以上に設定されている。このピン型ボタン３１３は、前述したように一端部（図６中左端部）が円孔２１２を介して筐体２の外部へ突出しており、当該一端部を利用者が押すことにより、ピン型ボタン３１３は軸方向に略沿って筐体２内部へ向けて変位する。そして、ピン型ボタン３１３の他端部（図６中右端部）は、ピン型ボタン３１３が筐体２内部へ向けて変位すると、スイッチ基板３２に当接するようになっている。
【００２３】
ヒンジ部３１４は、例えば略矩形板状に形成され、弾性変形可能とされている。このヒンジ部３１４は、一端部（図７中下端部）がＵ字部３１２の底面に固定されて、当該Ｕ字部３１２の底面に対して直立して設けられている。そして、ヒンジ部３１４の一端面にピン型ボタン３１３の他端側が一連に設けられており、これによりピン型ボタン３１３がヒンジ部３１４にて支持された状態となっている。
このようなヒンジ部３１４は、ピン型ボタン３１３の一端部を押して他端部をスイッチ基板３２に当接させる際、Ｕ字部３１２の底面に対して傾斜する状態に弾性変形し、これによりピン型ボタン３１３はヒンジ部３１４を支点に傾きを持った状態で変位する。また、ヒンジ部３１４の一端部への押圧を解除すると、ヒンジ部３１４はピン型ボタン３１３を外周枠部２１の長手方向一端面部へ向けて付勢し、Ｕ字部３１２の底面に対して直立する状態となり、ピン型ボタン３１３の他端部がスイッチ基板３２から離間するようになっている。
【００２４】
スイッチ基板３２は、図６に示すように、例えば、Ｕ字部３１２の底部の幅寸法と略同一の幅寸法を有す矩形板状に形成され、各Ｕ字部３１２に対してそれぞれ設けられている。各スイッチ基板３２上には、ピン型ボタン３１３の接触を検知する図示しない接触センサや各種回路が設けられており、回路装置４と各種信号が送受信可能に接続されている。そして、ピン型ボタン３１３の他端部が接触センサに当接することにより、平面表示装置１の動作を切り換えるための各種操作信号を生成し、これを回路装置４に送信する。このような操作信号としては、例えば、平面表示装置１００における主電源のＯＮ/ＯＦＦ切換信号や、表示モードの切換信号、チャンネルの切換信号、などが例示できる。
【００２５】
そして、スイッチ基板３２の取り付け方としては、図６に示すように、例えばスイッチ基板３２の一端部（図中下端部）がＵ字部３１２の底部に固定され、他端部（図中上端部）はテーパ面２５が形成されている第２の空間部２２１において、表示部の表示面と角度α（α＜９０°）をなす状態で傾いて取り付けられている。これにより、ピン型ボタン３１３が当接した際にピン型ボタン３１３の軸方向とスイッチ基板３２の当接面とが略直交するようになっている。
また、スイッチ基板３２は、表示面と直交する方向の長さ寸法Ｌ３が、第１の空間部２１１の厚さ寸法Ｌ１よりも大きく形成され、第２の空間部２２１の厚さ寸法Ｌ２よりも小さく形成されている。なお、スイッチ基板３２の他端部（図中上端部）は、第２の空間部２２１にて回路装置４などと干渉しない状態に設けられている。
【００２６】
回路装置４は、平面表示装置１全体の動作を制御する装置であり、筐体２における回路収納部２３およびパネル収納部２２に収納されている。この回路装置４は、例えば、図示しないテレビチューナ部と、ＤＶＤ（Digital Versatile Disc）プレイヤなどの映像再生機器からコンテンツデータを取得するための図示しないインターフェースとを備えており、端板部２４の各種端子と各種信号が送受信可能な状態で接続されている。そして、回路装置４は、映像再生機器などからコンテンツデータを取得すると、当該コンテンツデータを適宜データ処理し、処理後の映像データを表示部に出力させる。また、スイッチ基板３２から各種操作信号を受信すると、平面表示装置１全体の各種動作を切り換える処理をする。
【００２７】
（平面表示装置の作用）
上記のような構成の平面表示装置１の作用として、筐体２における第１の空間部２１１の薄型化について説明する。
本実施形態では、表示面と直交する方向の長さがＬ３であるスイッチ基板３２を、第１の空間部２１１の厚さＬ１よりも大きな厚さＬ２を有す第２の空間部２２１に設けている。これにより、外周枠部２１の長手方向一端面部からスイッチ基板３２の基板面まで物理的距離が図２に示す従来の平面表示装置１００よりも増加するので、ピン型ボタン３１３の軸方向長さを、少なくとも外周枠部２１の長手方向一端面部からスイッチ基板３２の基板面までの長さ以上に設定して、ピン型ボタン３１３の他端部をスイッチ基板３２に当接可能にしている。なお、第２の空間部２２１は、その内部に表示部および回路装置４の一部を配設するためにも、厚さＬ２が所定寸法以上であることを要し、スイッチ基板３２の長さ寸法Ｌ３はこの厚さＬ２の範囲内に収まるものとなっている。
【００２８】
一方、スイッチ機構３１は、表示面と直交する方向の長さがスイッチ基板３２の長さ寸法Ｌ３よりも小さくしても充分に機能し得る、すなわち、ピン型ボタン３１３は軸方向にスムーズに変位し得る。このため、第１の空間部２１１にはスイッチ機構３１のみを設けて、第１の空間部２１１の厚さＬ１をスイッチ基板３２の長さ寸法Ｌ３よりも小さくしている。つまり、本実施形態のスイッチ基板３２の長さ寸法Ｌ３と、従来の平面表示装置１００におけるスイッチ基板１２２の長さ寸法Ｄ１とを同一に設定した場合、本実施形態の平面表示装置１は、筐体２の外周枠部２１においてＬ３−Ｌ１分だけ従来よりも薄くなっており、これに合わせる形で外周枠部２１の４辺全てが薄型化されている。
【００２９】
次に、平面表示装置１の作用として、スイッチ部３の動作について図面に基づいて説明する。図８は、スイッチ部の動作を説明するための模式図であり、（Ａ）はピン型ボタンがスイッチ基板に当接していない状態を示し、（Ｂ）はピン型ボタンがスイッチ基板に当接している状態を示す。
前述のように、スイッチ基板３２は表示部の表示面と角度αをなす状態で傾いて取り付けられている。そして、図８（Ａ）に示すように、利用者がヒンジ部３１４の一端部を押さない状態では、ヒンジ部３１４はＵ字部３１２の底面に対して直立し、ピン型ボタン３１３の軸方向は筐体２の長手方向と略平行し、ピン型ボタン３１３の他端部がスイッチ基板３２の当接面から離間している。
【００３０】
ここで、図８（Ｂ）に示すように、利用者がヒンジ部３１４の一端部を押すことにより、ピン型ボタン３１３は筐体２の内部へと変位して、ピン型ボタン３１３の他端部がスイッチ基板３２に当接する。この際、Ｕ字部３１２の底面に対して傾斜する状態に弾性変形しており、ピン型ボタン３１３はヒンジ部３１４を支点に傾きを持った状態で変位している。これにより、ピン型ボタン３１３の軸方向とスイッチ基板３２の当接面とが略直交する状態になり、ピン型ボタン３１３の他端部がスイッチ基板３２の接触センサに確実に接触している。
【００３１】
また、利用者がヒンジ部３１４の一端部への押圧を解除すると、ヒンジ部３１４はピン型ボタン３１３を外周枠部２１の長手方向一端面部へ向けて付勢する。そして、図８（Ａ）に示すように、ヒンジ部３１４はＵ字部３１２の底面に対して直立する状態となり、ピン型ボタン３１３の他端部がスイッチ基板３２から離間する。
【００３２】
（平面表示装置の効果）
上述したように、上記実施形態では、以下に示す効果を奏することができる。
（１）筐体２の内部に、筐体２の一側縁側における第１の空間部２１１と、この第１の空間部２１１よりも筐体２の中央部側に隣接し、表示面と直交する方向の厚さＬ２が第１の空間部２１１における表示面と直交する方向の厚さＬ１よりも大きな第２の空間部２２１と、を形成している。そして、第１の空間部２１１内に配置されたスイッチ機構３１と、第２の空間部２２１内に配置されたスイッチ基板３２とでスイッチ部３を構成している。また、スイッチ機構３１に、一端側が筐体２外部へ突出し、当該一端側に対する外部からの作用により変位して、他端側がスイッチ基板３２に当接する長手状のピン型ボタン３１３を設けている。
このため、スイッチ基板３２を第２の空間部２２１に設け、かつ、ピン型ボタン３１３を長尺状に形成しているので、第１の空間部２１１の厚さ寸法Ｌ１を、スイッチ基板３２における表示面と直交する方向の長さ寸法Ｌ３よりも小さく形成することができる。これにより、従来よりも筐体２の外周枠部２１をＬ３−Ｌ１分だけ薄く形成することができ、かつ、これに合わせる形で外周枠部２１の４辺全てを薄く形成することができる。したがって、平面表示装置１を全体的に薄型化することができる。これに伴って、平面表示装置１を製造する際に使用する部材の量を減らすことができ、かつ、平面表示装置１の優れた意匠性を確保できる。
【００３３】
（２）スイッチ機構３１には、第１の空間部２１１内においてピン型ボタン３１３を支持するヒンジ部３１４を設けている。そして、スイッチ基板３２を、略棒状のピン型ボタン３１３がヒンジ部３１４を支点に傾きを持った状態で変位してスイッチ基板３２に当接した際に、ピン型ボタン３１３の軸方向とスイッチ基板３２とが略直交するように配設している。
このため、ピン型ボタン３１３の他端部をスイッチ基板３２の接触センサに確実に接触させることができるので、スイッチ基板３２との安定した当接状態が得られずに平面表示装置１の動作を良好に切り換えることができないなどの不具合の発生を防止できる。
【００３４】
（３）スイッチ機構３１に、ピン型ボタン３１３およびヒンジ部３１４を保持すると共に筐体２に対して取り付けられる構造体３１１を設けている。この構造体３１１と、ピン型ボタン３１３と、ヒンジ部３１４とは、樹脂材にて一体形成している。
このため、スイッチ機構３１を樹脂材の射出成形にて一度に形成することができる。また、複数のピン型ボタン３１３およびヒンジ部３１４を１つの構造体３１１に設け、この構造体３１１を筐体２に対して固定することで、複数のピン型ボタン３１３およびヒンジ部３１４を同時に全て筐体２に対して固定することが可能となる。これにより、平面表示装置１の製造が容易となり、製造コストを安価なものとすることができる。
【００３５】
（４）第１の空間２１１における表示面と直交する方向の厚さＬ１を、スイッチ基板３２の表示面と直交する方向の長さＬ３よりも小さく設定している。これにより、従来のスイッチ基板１２２（図２参照）を本実施形態の平面表示装置１００にそのまま用いたとしても、従来よりも筐体２の外周枠部２１をＬ３−Ｌ１分だけ薄く形成することができ、かつ、これに合わせる形で外周枠部２１の４辺全てを薄く形成することができる。したがって、平面表示装置１を全体的に薄型化することができる。
【００３６】
（５）ピン型ボタン３１３の軸方向長さを、少なくとも外周枠部２１の長手方向一端面部からスイッチ基板３２の基板面までの長さ以上に設定している。これにより、スイッチ基板３２が第２の空間部２２１に設けられて外周枠部２１の長手方向一端面部からスイッチ基板３２までの距離が長くなったとしても、ピン型ボタン３１３の他端部をスイッチ基板３２に確実に当接させることができる。
【００３７】
（実施形態の変形）
なお、本発明は上述した実施形態に限定されるものではなく、本発明の目的を達成できる範囲で以下に示される変形をも含むものである。
【００３８】
すなわち、前記実施形態では、表示部は、平面略長方形状の表示面を有しているとしたが、これに限らず、表示面が平面状であればいずれの形状でもよい。
【００３９】
前記実施形態では、スイッチ部３は、ピン型ボタン３１３およびヒンジ部３１４を有したスイッチ機構３１と、表示面とのなす角がαとなる状態に設けられたスイッチ基板３２とを備えた構成を例示したが、これに限らない。すなわち、例えば図９に示すスイッチ部３Ａのように、ヒンジ部３１４を有さずに付勢手段３４を備える構成としてもよい。ここで、図９は、前記実施形態の変形例におけるスイッチ部を示す模式図である。
図９において、スイッチ部３Ａは、長尺円棒状のピン型ボタン３１７と、このピン型ボタン３１７の一端側に設けられたフランジ部３１８と、ピン型ボタン３１７の一端側と対向しかつ表示面と直交する状態で設けられたスイッチ基板３３と、フランジ部３１８の一端面およびスイッチ基板３３の間に介装されたコイルばねなどの付勢手段３４と、を備えている。そして、ピン型ボタン３１７は、表示面に対して水平にスライド可能に設けられており、付勢手段３４にて筐体外側へ向けて付勢されている。このような構成でも、前記実施形態と同様に、平面表示装置を薄型化することができる。また、ピン型ボタン３１７は表示面に対して水平にスライドし、かつ、スイッチ基板３３が表示面と直交する状態で設けられているので、ピン型ボタン３１７の一端部とスイッチ基板３３とを確実に当接させることができる。
【００４０】
前記実施形態では、スイッチ部３は、筐体２における外周枠部２１の長手方向一端側に設けられているとしたが、これに限らない。すなわち、スイッチ部３は、外周枠部２１の長手方向他端側や、外周枠部２１の長手方向一側縁側、あるいは、外周枠部２１の長手方向両端側や、外周枠部２１の長手方向一端側と長手方向一側縁側との双方など、外周枠部２１の４辺のうち少なくとも１辺に設けられる構成であればいずれでも構わない。本発明は、外周枠部２１の複数辺に複数のスイッチ部が設けられた場合でも、前記実施形態と同様に平面表示装置を薄型化できる。
【００４１】
前記実施形態では、ヒンジ部３１４を弾性変形可能な板状に形成するとしたが、これに限らない。すなわち、例えば、ヒンジ部を弾性変形しない板材で構成し、当該板材の基端側をＵ字部３１２の底面に回動可能な状態で設けて、付勢手段によりピン型ボタン３１３を筐体外側へ向けて付勢する構成などとしてもよい。このような構成でも、前記実施形態と同様に平面表示装置の薄型化を図ることができる。
【００４２】
前記実施形態では、複数のピン型ボタン３１３およびヒンジ部３１４を、平面視略長方形状の構造体３１１の各Ｕ字部３１２に設ける構成としたが、これに限らない。すなわち、構造体３１１の形状は第１の空間部２１１に取付可能な形状であればいずれでもよい。また、複数のピン型ボタン３１３およびヒンジ部３１４は、例えば表示面に平行する複数の板材にそれぞれ個別に設け、当該複数の板材を筐体２に取り付ける構成としてもよい。さらに、ピン型ボタン３１３の数や形状、配置などは図３ないし７に示したものに限らず任意である。
【００４３】
前記実施形態では、構造体３１１を係合孔３１５や爪部３１６により筐体２に対して固定するとしたが、これに限らず、構造体３１１は接着剤やその他のいずれの固定手段にて固定されてもよい。
【００４４】
（実施形態の作用効果）
上述したように、上記実施形態では、筐体２の内部に、筐体２の一側縁側における表示面と直交する方向の厚さがＬ１の第１の空間部２１１と、この第１の空間部２１１に隣接し表示面と直交する方向の厚さＬ２がＬ１よりも大きな第２の空間部２２１と、を形成している。そして、第１の空間部２１１内に配置されたスイッチ機構３１と、第２の空間部２２１内に配置されたスイッチ基板３２とでスイッチ部３を構成している。また、スイッチ機構３１に、一端側が筐体２外部へ突出し、当該一端側に対する外部からの作用により変位して、他端側がスイッチ基板３２に当接する長手状のピン型ボタン３１３を設けている。
このため、第１の空間部２１１の厚さ寸法Ｌ１を、スイッチ基板３２における表示面と直交する方向の長さ寸法Ｌ３よりも小さく形成することができる。これにより、従来よりも筐体２の外周枠部２１をＬ３−Ｌ１分だけ薄く形成することができ、かつ、これに合わせる形で外周枠部２１の４辺全てを薄く形成することができる。したがって、平面表示装置１を全体的に薄型化することができる。
【図面の簡単な説明】
【００４５】
【図１】従来の平面表示装置の外観を示す斜視図である。
【図２】前記平面表示装置の要部断面を示す斜視図である。
【図３】本発明の一実施形態に係る平面表示装置の外観を示した斜視図である。
【図４】前記実施形態における平面表示装置の要部を拡大して示した斜視図である。
【図５】前記実施形態における筐体の一部を取り除いた状態の平面表示装置の要部を拡大して示した斜視図である。
【図６】図４に示したＶＩ−ＶＩ線に沿う平面表示装置の断面を示した矢視図である。
【図７】前記実施形態におけるスイッチ機構の外観を示した斜視図である。
【図８】前記実施形態におけるスイッチ部の動作を説明するための模式図であり、（Ａ）はピン型ボタンとスイッチ基板とが接触していない状態を示し、（Ｂ）はピン型ボタンとスイッチ基板とが接触している状態を示す。
【図９】前記実施形態の変形例におけるスイッチ部を示す模式図である。
【符号の説明】
【００４６】
１…平面表示装置
２…筐体
２１１…第１の空間部
２２１…第２の空間部
３，３Ａ…スイッチ部
３１…スイッチ機構
３１１…構造体
３１３，３１７…ピン型ボタン（変位部材）
３１４…ヒンジ部
３２，３３…スイッチ基板
３４…付勢手段
Ｌ１…第１の空間部における表示面と直交する方向の厚さ
Ｌ２…第２の空間部における表示面と直交する方向の厚さ
Ｌ３…スイッチ基板における表示面と直交する方向の厚さ
【図１】
2007042478.tif 000003
【図２】
2007042478.tif 000004
【図３】
2007042478.tif 000005
【図４】
2007042478.tif 000006
【図５】
2007042478.tif 000007
【図６】
2007042478.tif 000008
【図７】
2007042478.tif 000009
【図８】
2007042478.tif 000010
【図９】
2007042478.tif 000011